(57)【要約】【課題】ハゼ掴み具をハゼに取り付ける作業を、設置物を取り付ける作業方向である縦方向（上下方向）の真上から一本のボルトと１つのナットとによって容易に行えるようにしたハゼ掴み具を提供する。【解決手段】第１挟持部１５を有する第１部材１１と、第２挟持部２５を有する第２部材２１と、第１挟持部１５と第２挟持部２５とでハゼを挟持した第１部材１１の第１上側片１３と第２部材２１の上側片２３とを縦方向に貫通するボルト３１と、このボルト３１に螺合し、第１部材１１と第２部材２１と固定する第１ナット３４とを備えたハゼ掴み具１である。【選択図】図１
2016104954.tif 000002
【特許請求の範囲】
【請求項１】
第１立ち上がり片と、この第１立ち上がり片の上端から直角に折れ曲がり、第１ねじ孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；
第２立ち上がり片と、この第２立ち上がり片の上端から直角に折れ曲がり、前記第１ねじ孔に重なる第２挿通孔が設けられて前記第１上側片の上側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；
前記第１ねじ孔に螺合するねじ軸部が前記第２挿通孔を貫通して延びるボルトと；
前記ねじ軸部に螺合し、前記第１部材と前記第２部材とを前記ボルトとで固定する第１ナットとを備え、
前記第２挿通孔は、前記第１立ち上がり片に対して前記第２立ち上がり片が所定の範囲で接離しても前記第１ねじ孔が内側に位置する大きさであり、
前記第２挿通孔には、前記第１挟持部および前記第２挟持部と平行で、前記第１挟持部からの間隔が異なり、前記ねじ軸部が挿入される複数の間隔調整凹部が連通している、
ことを特徴とするハゼ掴み具。
【請求項２】
第１立ち上がり片と、この第１立ち上がり片の上端から直角に折れ曲がっている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部と、前記第１上側片の上側に設けられているねじ軸部とからなる第１部材と；
第２立ち上がり片と、この第２立ち上がり片の上端から直角に折れ曲がり、前記ねじ軸部が挿通される第２挿通孔が設けられて前記第１上側片の上側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；
前記ねじ軸部に螺合し、前記第１部材に前記第２部材を固定する第１ナットとを備え、
前記第２挿通孔は、前記第１立ち上がり片に対して前記第２立ち上がり片が所定の範囲で接離しても前記ねじ軸部が内側に位置する大きさであり、
前記第２挿通孔には、前記第１挟持部および前記第２挟持部と平行で、前記第１挟持部からの間隔が異なり、前記ねじ軸部が挿入される複数の間隔調整凹部が連通している、
ことを特徴とするハゼ掴み具。
【請求項３】
第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；
第２立ち上がり片と、この第２立ち上がり片の上端から直角に折れ曲がり、前記第１挿通孔に重なる第２挿通孔が設けられて前記第１上側片の上側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；
前記第１挿通孔から前記第２挿通孔へねじ軸部が挿通され、頭部が前記第１上側片に当接するボルトと；
このボルトのねじ軸部に螺合し、前記第１部材と前記第２部材とを前記ボルトとで固定する第１ナットとを備え、
前記第２挿通孔は、前記第１立ち上がり片に対して前記第２立ち上がり片が所定の範囲で接離しても前記第１挿通孔に重なる大きさであり、
前記第２挿通孔には、前記第１挟持部および前記第２挟持部と平行で、前記第１挟持部からの間隔が異なり、前記ねじ軸部が挿入される複数の間隔調整凹部が連通している、
ことを特徴とするハゼ掴み具。
【請求項４】
請求項１から請求項３のいずれか１項に記載のハゼ掴み具において、
前記ねじ軸部が挿通される第５挿通孔が設けられた押さえ片と、この押さえ片の平行して対向する辺の中央部から前記押さえ片に対してそれぞれ直角に所定の幅で立ち下がり、下端が前記第２上側片と対向する第１、第２垂下片とからなる押さえ部材と；
前記ねじ軸部に螺合し、前記押さえ部材が前記ねじ軸部から抜けるのを阻止するとともに、前記押さえ部材を固定する第２ナットとを備えている、
ことを特徴とするハゼ掴み具。
【請求項５】
第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；
第２立ち上がり片と、この第２立ち上がり片の上端から直角に折れ曲がり、前記第１挿通孔に重なる第２ねじ孔が設けられて前記第１上側片の下側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；
前記第２ねじ孔に螺合するねじ軸部が前記第１挿通孔を貫通して延びるボルトと；
前記ねじ軸部に螺合し、前記第１部材と前記第２部材とを前記ボルトとで固定する第１ナットとを備え、
前記第１挿通孔は、前記第１立ち上がり片に対して前記第２立ち上がり片が所定の範囲で接離しても前記第２ねじ孔が内側に位置する大きさであり、
前記第１挿通孔には、前記第１挟持部および前記第２挟持部と平行で、前記第２挟持部からの間隔が異なり、前記ねじ軸部が挿入される複数の間隔調整凹部が連通している、
ことを特徴とするハゼ掴み具。
【請求項６】
第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；
第２立ち上がり片と、この第２立ち上がり片の上端から直角に折れ曲がり、前記第１上側片の下側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部と、前記第２上側片の上側に設けられ、前記第１挿通孔に挿通されるねじ軸部とからなる第２部材と；
前記ねじ軸部に螺合し、前記第１部材に前記第２部材を固定する第１ナットとを備え、
前記第１挿通孔は、前記第１立ち上がり片に対して前記第２立ち上がり片が所定の範囲で接離しても前記ねじ軸部が内側に位置する大きさであり、
前記第１挿通孔には、前記第１挟持部および前記第２挟持部と平行で、前記第２挟持部からの間隔が異なり、前記ねじ軸部が挿入される複数の間隔調整凹部が連通している、
ことを特徴とするハゼ掴み具。
【請求項７】
第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；
第２立ち上がり片と、この第２立ち上がり片の上端から直角に折れ曲がり、前記第１挿通孔に重なる第２挿通孔が設けられて前記第１上側片の下側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；
前記第２挿通孔から前記第１挿通孔へねじ軸部が挿通され、頭部が前記第２上側片に当接するボルトと；
このボルトのねじ軸部に螺合し、前記第１部材と前記第２部材とを前記ボルトとで固定する第１ナットとを備え、
前記第１挿通孔は、前記第１立ち上がり片に対して前記第２立ち上がり片が所定の範囲で接離しても前記第２挿通孔に重なる大きさであり、
前記第１挿通孔には、前記第１挟持部および前記第２挟持部と平行で、前記第２挟持部からの間隔が異なり、前記ねじ軸部が挿入される複数の間隔調整凹部が連通している、
ことを特徴とするハゼ掴み具。
【請求項８】
請求項５から請求項７のいずれか１項に記載のハゼ掴み具において、
前記ねじ軸部が挿通される第５挿通孔が設けられた押さえ片と、この押さえ片の平行して対向する辺の中央部から前記押さえ片に対してそれぞれ直角に所定の幅で立ち下がり、下端が前記第１上側片と対向する第１、第２垂下片とからなる押さえ部材と；
前記ねじ軸部に螺合し、前記押さえ部材が前記ねじ軸部から抜けるのを阻止するとともに、前記押さえ部材を固定する第２ナットとを備えている、
ことを特徴とするハゼ掴み具。
【請求項９】
請求項１から請求項８のいずれか１項に記載のハゼ掴み具において、
前記ねじ軸部が前記間隔調整凹部から前記間隔調整凹部に沿って抜け出るのを阻止する抜け止め機構が設けられている、
ことを特徴とするハゼ掴み具。
【請求項１０】
請求項１から請求項９のいずれか１項に記載のハゼ掴み具において、
前記第１挟持部と前記第２挟持部との高さが異なっている、
ことを特徴とするハゼ掴み具。
【請求項１１】
請求項１から請求項１０のいずれか１項に記載のハゼ掴み具において、
前記第１立ち上がり片または前記第２立ち上がり片には、左右方向の端部の少なくとも一方に係止凹部が設けられている、
ことを特徴とするハゼ掴み具。
【発明の詳細な説明】
【技術分野】
【０００１】
この発明は、屋根に、太陽電池パネル、分電盤、ラックなどの設置物を設置する際に用いるハゼ掴み具に関するものである。
【背景技術】
【０００２】
近年、太陽電池パネルを屋根に設置し、太陽電池パネルで発電した電力を売ったり、自宅で消費するようになってきている。
【０００３】
屋根に太陽電池パネルを設置する場合、太陽電池パネルなどを屋根に直接設置することができないので、折半屋根のハゼにハゼ掴み具を設置し（取り付け）、このハゼ掴み具に対して太陽電池パネルなどを設置し（取り付け）ている。
【０００４】
上記したハゼ掴み具として、第２挟持部材に対して第１挟持部材を回動させることにより、第２挟持部材の挟持部と第１挟持部材の挟持部とをハゼの側面に位置させ、第１挟持部材の側面に突出し、フックボルトに螺合しているナットを回動させることにより、第２挟持部材の挟持部と第１挟持部材の挟持部との間隔を狭めてハゼに取り付けるハゼ掴み具が提案されている（例えば、特許文献１参照）。
【先行技術文献】
【特許文献】
【０００５】
【特許文献１】特開２０１２−０１７６２７号公報
【発明の概要】
【発明が解決しようとする課題】
【０００６】
上記した従来の（特許文献１に記載されている）ハゼ掴み具は、自身をハゼに取り付ける作業方向が横方向（左右方向）であるので、太陽電池パネルを取り付ける作業方向である縦方向（上下方向）と、ハゼ掴み具をハゼに取り付ける作業方向とが異なるという不都合がある。
【０００７】
この発明は、上記した不都合を解消するためになされたもので、ハゼ掴み具をハゼに取り付ける作業を、設置物を取り付ける作業方向である縦方向（上下方向）の真上から一本のボルトと１つのナットとによって容易に行えるようにしたハゼ掴み具を提供するものである。
【課題を解決するための手段】
【０００８】
請求項１に記載のハゼ掴み具は、第１立ち上がり片と、この第１立ち上がり片の上端から直角に折れ曲がり、第１ねじ孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；第２立ち上がり片と、この第２立ち上がり片の上端から直角に折れ曲がり、前記第１ねじ孔に重なる第２挿通孔が設けられて前記第１上側片の上側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；前記第１ねじ孔に螺合するねじ軸部が前記第２挿通孔を貫通して延びるボルトと；前記ねじ軸部に螺合し、前記第１部材と前記第２部材とを前記ボルトとで固定する第１ナットとを備え、前記第２挿通孔は、前記第１立ち上がり片に対して前記第２立ち上がり片が所定の範囲で接離しても前記第１ねじ孔が内側に位置する大きさであり、前記第２挿通孔には、前記第１挟持部および前記第２挟持部と平行で、前記第１挟持部からの間隔が異なり、前記ねじ軸部が挿入される複数の間隔調整凹部が連通していることを特徴とする。
【０００９】
請求項２に記載のハゼ掴み具は、第１立ち上がり片と、この第１立ち上がり片の上端から直角に折れ曲がっている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部と、前記第１上側片の上側に設けられているねじ軸部とからなる第１部材と；第２立ち上がり片と、この第２立ち上がり片の上端から直角に折れ曲がり、前記ねじ軸部が挿通される第２挿通孔が設けられて前記第１上側片の上側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；前記ねじ軸部に螺合し、前記第１部材に前記第２部材を固定する第１ナットとを備え、前記第２挿通孔は、前記第１立ち上がり片に対して前記第２立ち上がり片が所定の範囲で接離しても前記ねじ軸部が内側に位置する大きさであり、前記第２挿通孔には、前記第１挟持部および前記第２挟持部と平行で、前記第１挟持部からの間隔が異なり、前記ねじ軸部が挿入される複数の間隔調整凹部が連通していることを特徴とする。
【００１０】
請求項３に記載のハゼ掴み具は、第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；第２立ち上がり片と、この第２立ち上がり片の上端から直角に折れ曲がり、前記第１挿通孔に重なる第２挿通孔が設けられて前記第１上側片の上側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；前記第１挿通孔から前記第２挿通孔へねじ軸部が挿通され、頭部が前記第１上側片に当接するボルトと；このボルトのねじ軸部に螺合し、前記第１部材と前記第２部材とを前記ボルトとで固定する第１ナットとを備え、前記第２挿通孔は、前記第１立ち上がり片に対して前記第２立ち上がり片が所定の範囲で接離しても前記第１挿通孔に重なる大きさであり、前記第２挿通孔には、前記第１挟持部および前記第２挟持部と平行で、前記第１挟持部からの間隔が異なり、前記ねじ軸部が挿入される複数の間隔調整凹部が連通していることを特徴とする。
【００１１】
請求項４に記載のハゼ掴み具は、請求項１から請求項３のいずれか１項に記載のハゼ掴み具において、前記ねじ軸部が挿通される第５挿通孔が設けられた押さえ片と、この押さえ片の平行して対向する辺の中央部から前記押さえ片に対してそれぞれ直角に所定の幅で立ち下がり、下端が前記第２上側片と対向する第１、第２垂下片とからなる押さえ部材と；前記ねじ軸部に螺合し、前記押さえ部材が前記ねじ軸部から抜けるのを阻止するとともに、前記押さえ部材を固定する第２ナットとを備えていることを特徴とする。
【００１２】
請求項５に記載のハゼ掴み具は、第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；第２立ち上がり片と、この第２立ち上がり片の上端から直角に折れ曲がり、前記第１挿通孔に重なる第２ねじ孔が設けられて前記第１上側片の下側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；前記第２ねじ孔に螺合するねじ軸部が前記第１挿通孔を貫通して延びるボルトと；前記ねじ軸部に螺合し、前記第１部材と前記第２部材とを前記ボルトとで固定する第１ナットとを備え、前記第１挿通孔は、前記第１立ち上がり片に対して前記第２立ち上がり片が所定の範囲で接離しても前記第２ねじ孔が内側に位置する大きさであり、前記第１挿通孔には、前記第１挟持部および前記第２挟持部と平行で、前記第２挟持部からの間隔が異なり、前記ねじ軸部が挿入される複数の間隔調整凹部が連通していることを特徴とする。
【００１３】
請求項６に記載のハゼ掴み具は、第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；第２立ち上がり片と、この第２立ち上がり片の上端から直角に折れ曲がり、前記第１上側片の下側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部と、前記第２上側片の上側に設けられ、前記第１挿通孔に挿通されるねじ軸部とからなる第２部材と；前記ねじ軸部に螺合し、前記第１部材に前記第２部材を固定する第１ナットとを備え、前記第１挿通孔は、前記第１立ち上がり片に対して前記第２立ち上がり片が所定の範囲で接離しても前記ねじ軸部が内側に位置する大きさであり、前記第１挿通孔には、前記第１挟持部および前記第２挟持部と平行で、前記第２挟持部からの間隔が異なり、前記ねじ軸部が挿入される複数の間隔調整凹部が連通していることを特徴とする。
【００１４】
請求項７に記載のハゼ掴み具は、第１立ち上がり片と、この第１立ち上がり片の上端から直角に折れ曲がり、第１挿通孔が設けられている第１上側片と、前記第１立ち上がり片の下端から前記第１上側片と同一方向へ前記第１上側片の長さよりも短い長さで折れ曲がっている第１下側片と、この第１下側片の先端に設けられている第１挟持部とからなる第１部材と；第２立ち上がり片と、この第２立ち上がり片の上端から直角に折れ曲がり、前記第１挿通孔に重なる第２挿通孔が設けられて前記第１上側片の下側に摺動可能に重ねられる第２上側片と、前記第２立ち上がり片の下端から前記第２上側片と同一方向へ前記第２上側片の長さよりも短い長さで折れ曲がっている第２下側片と、この第２下側片の先端に設けられ、前記第１挟持部との間に所定の間隔を有する第２挟持部とからなる第２部材と；前記第２挿通孔から前記第１挿通孔へねじ軸部が挿通され、頭部が前記第２上側片に当接するボルトと；このボルトのねじ軸部に螺合し、前記第１部材と前記第２部材とを前記ボルトとで固定する第１ナットとを備え、前記第１挿通孔は、前記第１立ち上がり片に対して前記第２立ち上がり片が所定の範囲で接離しても前記第２挿通孔に重なる大きさであり、前記第１挿通孔には、前記第１挟持部および前記第２挟持部と平行で、前記第２挟持部からの間隔が異なり、前記ねじ軸部が挿入される複数の間隔調整凹部が連通していることを特徴とする。
【００１５】
請求項８に記載のハゼ掴み具は、請求項５から請求項７のいずれか１項に記載のハゼ掴み具において、前記ねじ軸部が挿通される第５挿通孔が設けられた押さえ片と、この押さえ片の平行して対向する辺の中央部から前記押さえ片に対してそれぞれ直角に所定の幅で立ち下がり、下端が前記第１上側片と対向する第１、第２垂下片とからなる押さえ部材と；前記ねじ軸部に螺合し、前記押さえ部材が前記ねじ軸部から抜けるのを阻止するとともに、前記押さえ部材を固定する第２ナットとを備えていることを特徴とする。
【００１６】
請求項９に記載のハゼ掴み具は、請求項１から請求項８のいずれか１項に記載のハゼ掴み具において、前記ねじ軸部が前記間隔調整凹部から前記間隔調整凹部に沿って抜け出るのを阻止する抜け止め機構が設けられていることを特徴とする。
【００１７】
請求項１０に記載のハゼ掴み具は、請求項１から請求項９のいずれか１項に記載のハゼ掴み具において、前記第１挟持部と前記第２挟持部との高さが異なっていることを特徴とする。
【００１８】
請求項１１に記載のハゼ掴み具は、請求項１から請求項１０のいずれか１項に記載のハゼ掴み具において、前記第１立ち上がり片または前記第２立ち上がり片には、左右方向の端部の少なくとも一方に係止凹部が設けられていることを特徴とする。
【発明の効果】
【００１９】
この発明によれば、ハゼ掴み具をハゼに取り付ける作業を、設置物を取り付ける作業方向である縦方向（上下方向）の真上から一本のボルトと１つのナットとによって容易に行うことができる。
【図面の簡単な説明】
【００２０】
【図１】この発明の第１実施例であるハゼ掴み具を示す図で、（ａ）は正面図、（ｂ）は平面図、（ｃ）は底面図、（ｄ）は左側面図、（ｅ）は右側面図である。
【図２】図１に示したハゼ掴み具の分解正面図である。
【図３】図１および図２に示した第１部材を示す図で、（ａ）は正面図、（ｂ）は平面図、（ｃ）は底面図、（ｄ）は左側面図、（ｅ）は右側面図である。
【図４】図１および図２に示した第２部材を示す図で、（ａ）は正面図、（ｂ）は平面図、（ｃ）は底面図、（ｄ）は左側面図、（ｅ）は右側面図である。
【図５】図１および図２に示した押さえ部材を示す図で、（ａ）は正面図、（ｂ）は平面図、（ｃ）は底面図、（ｄ）は左側面図、（ｅ）は右側面図である。
【図６】ハゼ掴み具のハゼへの取付を示す説明図である。
【図７】抜け止め機構を示す説明図である。
【図８】太陽電池パネルの取付を示す説明図である。
【図９】この発明の第２実施例であるハゼ掴み具が、第１実施例のハゼ掴み具と異なる部分を示す図で、（ａ）は第１部材の正面図、（ｂ）は第１部材の右側面図である。
【図１０】この発明の第３実施例であるハゼ掴み具が、第１実施例のハゼ掴み具と異なる部分を示す第１部材の平面図である。
【図１１】この発明の第４実施例であるハゼ掴み具を示す正面図である。
【図１２】この発明の第４実施例のハゼ掴み具が、第１実施例のハゼ掴み具と異なる部分を示す第１部材の平面図である。
【図１３】この発明の第４実施例のハゼ掴み具が、第１実施例のハゼ掴み具と異なる部分を示す第２部材の平面図である。
【図１４】この発明の第５実施例であるハゼ掴み具が、第４実施例のハゼ掴み具と異なる部分を示す第２部材の正面図である。
【図１５】この発明の第６実施例であるハゼ掴み具が、第４実施例のハゼ掴み具と異なる部分を示す第２部材の平面図である。
【図１６】第１挟持部と第２挟持部との変形例を示す説明図である。
【図１７】第１挟持部と第２挟持部との変形例を示す説明図である。
【発明を実施するための形態】
【００２１】
以下、この発明の実施例を、図面を参照して説明する。
【００２２】
図１はこの発明の第１実施例であるハゼ掴み具を示す図で、（ａ）は正面図、（ｂ）は平面図、（ｃ）は底面図、（ｄ）は左側面図、（ｅ）は右側面図である。図２は図１に示したハゼ掴み具の分解正面図である。図３は図１および図２に示した第１部材を示す図で、（ａ）は正面図、（ｂ）は平面図、（ｃ）は底面図、（ｄ）は左側面図、（ｅ）は右側面図である。図４は図１および図２に示した第２部材を示す図で、（ａ）は正面図、（ｂ）は平面図、（ｃ）は底面図、（ｄ）は左側面図、（ｅ）は右側面図である。図５は図１および図２に示した押さえ部材を示す図で、（ａ）は正面図、（ｂ）は平面図、（ｃ）は底面図、（ｄ）は左側面図、（ｅ）は右側面図である。
【００２３】
図１および図２に示すハゼ掴み具１は、所定形状の金属板を折り曲げて形成された第１部材１１と、所定形状の金属板を折り曲げて形成された第２部材２１と、第１部材１１と第２部材２１とを固定（締結）するボルト３１、第１ワッシャ３２、第１スプリングワッシャ３３、第１ナット３４と、後述する抜け止め機構を構成するビス３７と、所定形状の金属板を折り曲げて形成された押さえ部材４１と、この押さえ部材４１を固定（締結）する、第２スプリングワッシャ５３、第２ナット５４とを備えている。
【００２４】
第１部材１１は、図３（ｅ）に示すように、横長の矩形をした第１立ち上がり片１２と、この第１立ち上がり片１２の上端から直角（図３（ａ）参照）に第１立ち上がり片１２と同じ幅（図３（ｂ）における上下方向の長さ）で折れ曲がり、第１ねじ孔１３ａ（図３（ｂ）参照）が設けられている矩形の第１上側片１３と、第１立ち上がり片１２の下端（図３（ａ）参照）から第１上側片１３と同一方向へ第１上側片１３と平行に、第１立ち上がり片１２と同じ幅（図３（ｄ）における左右方向の長さ）で、第１上側片１３の長さよりも短い長さで折れ曲がっている矩形の第１下側片１４と、この第１下側片１４の先端（左端）（図３（ａ）参照）に、第１立ち上がり片１２と平行に折り曲げられて（第１下側片１４に対する角度αが９０度に折り曲げられて）設けられている第１挟持部１５とで構成されている。
【００２５】
そして、第１立ち上がり片１２には、図３（ｅ）に示すように、左右方向の両端部の上下に係止凹部（切り欠き）１２ａがそれぞれ設けられている。
【００２６】
そして、第１上側片１３には、図３（ｂ）に示すように、第１ねじ孔１３ａに近接した位置に、ビス３７が螺合する第３ねじ孔１３ｘが設けられている。
【００２７】
そして、第１下側片１４と、第１挟持部１５とには、図３（ｃ）に示すように、下側から第１ねじ孔１３ａの下側へ工具などを挿入できるように、切り欠き１４ａが設けられている。
【００２８】
第２部材２１は、図４（ｄ）に示すように、第１部材１１の第１立ち上がり片１２よりも上下方向の長さが短い横長の矩形をした第２立ち上がり片２２と、この第２立ち上がり片２２の上端から直角（図４（ａ）参照）に第２立ち上がり片２２と同じ幅（図４（ｂ）における上下方向の長さ）で折れ曲がり、第１部材１１の第１ねじ孔１３ａに重なる第２挿通孔２３ｂ（図４（ｂ）参照）が設けられて第１部材１１の第１上側片１３の上側に摺動可能に重ねられる矩形の第２上側片２３と、第２立ち上がり片２２の下端（図４（ａ）参照）から第２上側片２３と同一方向へ第２上側片２３と平行に、第２立ち上がり片２２と同じ幅（図４（ｅ）における左右方向の長さ）で、第２上側片２３の長さよりも短い長さで折れ曲がっている矩形の第２下側片２４と、この第２下側片２４の先端（右端）（図４（ａ）参照）に折り曲げて（第２下側片２４に対する角度βが鋭角に折り曲げられて）設けられ、第１部材１１の第１挟持部１５との間に、水平方向に所定の間隔を有する第２挟持部２５とで構成されている。
【００２９】
そして、第２立ち上がり片２２には、図４（ｄ）に示すように、左右方向の両端部分に第１貫通孔２２ａがそれぞれ設けられている。
【００３０】
そして、第２上側片２３には、図４（ｂ）に示すように、第１部材１１の第１挟持部１５および第２挟持部２５と平行で、第１挟持部１５からの水平方向の間隔が異なり、ボルト３１のねじ軸部３１ｂが挿入される複数の間隔調整凹部２３ｃ〜２３ｅが第２挿通孔２３ｂに連通させて設けられるとともに、第２挿通孔２３ｂと平行に、第２長孔２３ｙが設けられている。
【００３１】
第２挿通孔２３ｂは、第１部材１１の第１立ち上がり片１２に対して第２立ち上がり片２２が所定の範囲で接離しても第１部材１１の第１ねじ孔１３ａに重なる大きさである。
【００３２】
また、第２長孔２３ｙは、後述するように、第１部材１１の第１立ち上がり片１２に対して第２立ち上がり片２２を所定の範囲で接離させてボルト３１のねじ軸部３１ｂを複数の間隔調整凹部２３ｃ〜２３ｅのいずれかに挿入しても、第１部材１１の第３ねじ孔１３ｘが内側に位置する大きさである。
【００３３】
そして、第２下側片２４には、図４（ｃ）に示すように、左右方向の両端部分に、第２立ち上がり片２２の第１貫通孔２２ａに対応させて第２貫通孔２４ａがそれぞれ設けられている。
【００３４】
押さえ部材４１は、図５（ｂ）に示すように、ボルト３１のねじ軸部３１ｂが挿通される第５挿通孔４２ａが設けられた押さえ片４２と、この押さえ片４２の平行して対向する辺の中央部から（図５（ｂ）参照）押さえ片４２に対してそれぞれ直角に所定の幅で立ち下がって対向する第１、第２垂下片４３，４４（図５（ａ），（ｄ），（ｅ）参照）とで構成されている。
【００３５】
次に、ハゼ掴み具１のハゼＨへの取付の一例について説明する。
【００３６】
まず、第１部材１１の第１上側片１３に形成されている第１ねじ孔１３ａにボルト３１のねじ軸部３１ｂを螺合させて、ボルト３１の頭部３１ａを第１上側片１３の下側に当接させる。
【００３７】
この状態で、第２部材２１の第２上側片２３に形成されている第２挿通孔２３ｂに、ねじ軸部３１ｂを挿通させ、第１立ち上がり片１２と第２立ち上がり片２２とを対向させた後、ねじ軸部３１ｂを第１ワッシャ３２、第１スプリングワッシャ３３に挿通し、ねじ軸３１ｂに第１ナット３４をゆるく螺合させ、第１部材１１と第２部材２１とが分離しないようにする。
【００３８】
そして、第１挟持部１５と第２挟持部２５との間を広げ、第１挟持部１５と第２挟持部２５との間にハゼＨが入れるように第１挟持部１５と第２挟持部２５とをハゼＨの上側に位置させた後、第１、第２部材１１，２１を降下させる。
【００３９】
そして、図６に示すように、ハゼＨを第１挟持部１５と第２挟持部２５とで挟持するように、ハゼＨの被挟持部の両側面に第１挟持部１５と第２挟持部２５とを圧接させるように、第１立ち上がり片１２と第２立ち上がり片２２とを接近させるとともに、ボルト３１の頭部３１ａをハゼＨの上に載置した後、第１部材１１と第２部材２１とをスライドさせてねじ軸部３１ｂを、図７（ａ）に示すように、間隔調整凹部２３ｃに挿入すると、第３ねじ孔１３ｘと第２長孔２３ｙとが重なる。
【００４０】
この状態で、図７（ｂ）に示すように、ワッシャ３６に挿通したビス３７の軸部を第２長孔２３ｙに挿通して第３ねじ孔１３ｘに螺合させると、間隔調整凹部２３ｃから抜け出る方向へねじ軸部３１ｂ（第１部材１１）を移動させようとしても、ビス３７の軸部が第２長孔２３ｙの側壁に当接し、ねじ軸部３１ｂが間隔調整凹部２３ｃから間隔調整凹部２３ｃに沿って抜け出るのを阻止する。
【００４１】
ハゼＨの被挟持部の厚さによってねじ軸部３１ｂが間隔調整凹部２３ｄまたは間隔調整凹部２３ｅに挿入される場合であっても、第３ねじ孔１３ｘと第２長孔２３ｙとが重なるので、ビス３７の軸部を第３ねじ孔１３ｘに螺合させることにより、ねじ軸部３１ｂが間隔調整凹部２３ｄ，２３ｅから抜け出るのを阻止することができる。
【００４２】
ねじ軸部３１ｂが間隔調整凹部２３ｃ〜２３ｅに沿って抜け出るのを阻止する抜け止め機構は、第２長孔２３ｙとビス３７とによって構成されている。
【００４３】
上述したように、ねじ軸部３１ｂが間隔調整凹部２３ｃから抜け出るのを阻止した状態で、第１ナット３４を完全に螺合させることにより、図６に示すように、第１部材１１と第２部材２１とをボルト３１と第１ナット３４とで縦方向（上下方向）の真上から固定（締結）し、ハゼＨにハゼ掴み具１を取り付けることができる。
【００４４】
次に、太陽電池パネルＰの取付の一例について説明する。
【００４５】
まず、ねじ軸部３１ｂを中心にした両側（左右）の第２部材２１の上に、図８に示すように、太陽電池パネルＰを載せる。
【００４６】
そして、太陽電池パネルＰの間に押さえ部材４１の第１、第２垂下片４３，４４を位置させるようにして押さえ片４２に設けられている第５挿通孔４２ａへねじ軸部３１ｂを挿通し、第１、第２垂下片４３，４４の下端を第２部材２１に対向させる。
【００４７】
そして、ねじ軸部３１ｂを第２スプリングワッシャ５３に挿通した後、ねじ軸３１ｂに第２ナット５４を螺合させ、押さえ部材４１を縦方向の真上から固定（締結）することにより、図８に示すように、太陽電池パネルＰを取り付けることができる。
【００４８】
この発明の第１実施例のハゼ掴み具１によれば、ねじ軸部３１ｂが上方（縦方向）に突出しているので、ハゼ掴み具１をハゼＨに取り付ける作業を、太陽電池パネルＰを取り付ける作業方向である縦方向（上下方向）の真上からボルト３１と、第１ナット３４とによって行うことができるとともに、太陽電池パネルＰを取り付ける作業を、ボルト３１と、押さえ部材４１と、第２ナット５４とによって縦方向の真上から容易に行うことができる。
【００４９】
また、複数の間隔調整凹部２３ｃ〜２３ｅを設けたので、すなわち、はさみ量を調整できるスライド式としたので、ハゼＨの被挟持部の厚さが異なっていたり、ハゼＨの被挟持部の厚さにバラツキがあっても、また、経年変化によってハゼＨの形状が変形したり、経年変化によってハゼＨの被挟持部の厚さが変化しても、ハゼＨに対してハゼ掴み具１を取り付けることができる。
【００５０】
また、ねじ軸部３１ｂが間隔調整凹部２３ｃ〜２３ｅから間隔調整凹部２３ｃ〜２３ｅに沿って抜け出るのを阻止する抜け止め機構を設けたので、挟み込み量が変化しなくなるとともに、ハゼ掴み具１のハゼＨへの取付がゆるんだりすることがなくなる。
【００５１】
また、図６に示すように、第１挟持部１５と第２挟持部２５との高さが異なっているので、第１挟持部１５と第２挟持部２５とでハゼＨの被挟持部を両側から巻き込むかたちで挟持できることにより、ハゼ掴み具１をハゼＨに確実、強固に取り付けることができる。
【００５２】
また、図６に示すように、ボルト３１の頭部３１ａをハゼＨに接触（当接）させてハゼ掴み具１をハゼＨに取り付けることができるので、すなわち、第１挟持部１５と、第２挟持部２５と、ボルト３１の頭部３１ａとの三点支持でハゼ掴み具１をハゼＨに取り付けることができるので、ハゼ掴み具１をハゼＨに堅牢に取り付けることができる。
【００５３】
また、第１立ち上がり片１２の左右方向の端部に係止凹部１２ａをそれぞれ設けたので、巻き掛けることのできる電線などを係止凹部１２ａに巻き掛けて係止させることにより、電線などを固定し、整理することができる。
【００５４】
また、第２立ち上がり片２２に第１挿通孔２２ａを設けるとともに、第２下側片２４に第２挿通孔２４ａを設けたので、太い電線などを第１、第２挿通孔２２ａ，２４ａに挿通することにより、電線を移動しないように固定することができる。
【００５５】
図９はこの発明の第２実施例であるハゼ掴み具が、第１実施例のハゼ掴み具と異なる部分を示す図で、（ａ）は第１部材の正面図（図３（ａ）に対応する正面図）、（ｂ）は第１部材の右側面図（図３（ｅ）に対応する右側面図）である。
【００５６】
第２実施例のハゼ掴み具１は、第１実施例のハゼ掴み具１の第１上側片１３に設けられた第１ねじ孔１３ａの位置に、第１ねじ軸部１６を溶接等によって上方へ向けて突設させた構成としたものである。他の部分は、第１実施例のハゼ掴み具１と同様な構成とされている。
【００５７】
したがって、第２実施例のハゼ掴み具１も、第１実施例のハゼ掴み具１と同様に、ハゼへ取り付けることができるとともに、太陽電池パネルを取り付けることができる。
【００５８】
そして、第２実施例のハゼ掴み具１においても、第１実施例のハゼ掴み具１と同様な効果を得ることができる。
【００５９】
図１０はこの発明の第３実施例であるハゼ掴み具が、第１実施例のハゼ掴み具と異なる部分を示す第１部材の平面図（図３（ｂ）に対応する平面図）である。
【００６０】
第３実施例のハゼ掴み具１は、第１実施例のハゼ掴み具１の第１上側片１３に設けられた第１ねじ孔１３ａの位置に、ボルト３１のねじ軸部３１ｂが挿通される第１挿通孔１３ｂを設け、ボルト３１の頭部３１ａが第１上側片１３の下面に当接する構成としたものである。他の部分は、第１実施例のハゼ掴み具１と同様な構成とされている。
【００６１】
したがって、第３実施例のハゼ掴み具１も、第１実施例のハゼ掴み具１と同様に、ハゼへ取り付けることができるとともに、太陽電池パネルを取り付けることができる。
【００６２】
そして、第３実施例のハゼ掴み具１においても、第１実施例のハゼ掴み具１と同様な効果を得ることができる。
【００６３】
図１１はこの発明の第４実施例であるハゼ掴み具を示す正面図である。
【００６４】
図１１に示すハゼ掴み具１は、第１実施例のハゼ掴み具１と同様に、所定形状の金属板を折り曲げて形成された第１部材１１と、所定形状の金属板を折り曲げて形成された第２部材２１と、第１部材１１と第２部材２１とを固定（締結）するボルト３１、第１ワッシャ３２、第１スプリングワッシャ３３、第１ナット３４と、抜け止め機構を構成するビス３７と、所定形状の金属板を折り曲げて形成された押さえ部材４１と、この押さえ部材４１を固定（締結）する、第２スプリングワッシャ５３、第２ナット５４とを備えている。
【００６５】
第４実施例のハゼ掴み具１が第１実施例のハゼ掴み具１と異なるところは、第１部材１１の第１上側片１３の下側に、第２部材２１の第２上側片２３が摺動可能に重なる点と、図１２に示す点と、図１３に示す点とである。
【００６６】
図１２は第４実施例のハゼ掴み具が、第１実施例のハゼ掴み具と異なる部分を示す第１部材の平面図（図３（ｂ）に対応する平面図）、図１３は第４実施例のハゼ掴み具が、第１実施例のハゼ掴み具と異なる部分を示す第２部材の平面図（図４（ｂ）に対応する平面図）である。
【００６７】
図１２に示すように、第４実施例の第１部材１１の第１上側片１３には、第１実施例の第２部材２１の第２上側片２３を１８０度回転させて、第３挿通孔１３ｂ１（第１実施例の第２挿通孔２３ｂに対応する）、間隔調整凹部１３ｃ〜１３ｅ（第１実施例の間隔調整凹部２３ｃ〜２３ｅに対応する）、第１長孔１３ｙ（第１実施例の第２長孔２３ｙに対応する）が設けられている。
【００６８】
図１３に示すように、第４実施例の第２部材２１の第２上側片２３には、第１実施例の第１部材１１の第１上側片１３を１８０度回転させて、第２ねじ孔２３ａ（第１実施例の第１ねじ孔１３ａに対応する）、第４ねじ孔２３ｘ（第１実施例の第３ねじ孔１３ｘに対応する）が設けられている。
【００６９】
次に、ハゼ掴み具１のハゼＨへの取付の一例について説明する。
【００７０】
まず、第２部材２１の第１上側片２３に形成されている第２ねじ孔２３ａにボルト３１のねじ軸部３１ｂを螺合させて、ボルト３１の頭部３１ａを第２上側片２３の下側に当接させる。
【００７１】
この状態で、第１部材１１の第２上側片１３に形成されている第３挿通孔１３ｂ１に、ねじ軸部３１ｂを挿通させ、第１立ち上がり片１２と第２立ち上がり片２２とを対向させた後、ねじ軸部３１ｂを第１ワッシャ３２、第１スプリングワッシャ３３に挿通し、ねじ軸３１ｂに第１ナット３４をゆるく螺合させ、第１部材１１と第２部材２１とが分離しないようにする。
【００７２】
そして、第１挟持部１５と第２挟持部２５との間を広げ、第１挟持部１５と第２挟持部２５との間にハゼＨが入れるように第１挟持部１５と第２挟持部２５とをハゼＨの上側に位置させた後、第１、第２部材１１，２１を降下させる。
【００７３】
そして、図６に示すように、ハゼＨを第１挟持部１５と第２挟持部２５とで挟持するように、ハゼＨの被挟持部の両側面に第１挟持部１５と第２挟持部２５とを圧接させるように、第１立ち上がり片１２と第２立ち上がり片２２とを接近させるとともに、ボルト３１の頭部３１ａをハゼＨの上に載置した後、第１部材１１と第２部材２１とをスライドさせてねじ軸部３１ｂを、例えば、間隔調整凹部１３ｃに挿入すると、第４ねじ孔２３ｘと第１長孔１３ｙとが重なる。
【００７４】
この状態で、ワッシャ３６に挿通したビス３７の軸部を第１長孔１３ｙに挿通して第４ねじ孔２３ｘに螺合させると、間隔調整凹部１３ｃから抜け出る方向へねじ軸部３１ｂ（第２部材２１）を移動させようとしても、ビス３７の軸部が第１長孔１３ｙの側壁に当接し、ねじ軸部３１ｂが間隔調整凹部１３ｃから間隔調整凹部１３ｃに沿って抜け出るのを阻止する。
【００７５】
ハゼＨの被挟持部の厚さによってねじ軸部３１ｂが間隔調整凹部１３ｄまたは間隔調整凹部１３ｅに挿入される場合であっても、第４ねじ孔２３ｘと第１長孔１３ｙとが重なるので、ビス３７の軸部を第４ねじ孔２３ｘに螺合させることにより、ねじ軸部３１ｂが間隔調整凹部１３ｄ，１３ｅから抜け出るのを阻止することができる。
【００７６】
ねじ軸部３１ｂが間隔調整凹部１３ｃ〜１３ｅに沿って抜け出るのを阻止する抜け止め機構は、第１長孔１３ｙとビス３７とによって構成されている。
【００７７】
上述したように、ねじ軸部３１ｂが間隔調整凹部１３ｃから抜け出るのを阻止した状態で、第１ナット３４を完全に螺合させることにより、図６に示すように、第１部材１１と第２部材２１とをボルト３１と第１ナット３４とで縦方向（上下方向）の真上から固定（締結）し、ハゼＨにハゼ掴み具１を取り付けることができる。
【００７８】
次に、太陽電池パネルＰの取付の一例について説明する。
【００７９】
まず、ねじ軸部３１ｂを中心にした両側（左右）の第１部材１１の上に、図８に示すように、太陽電池パネルＰを載せる。
【００８０】
そして、太陽電池パネルＰの間に押さえ部材４１の第１、第２垂下片４３，４４を位置させるようにして押さえ片４２に設けられている第５挿通孔４２ａへねじ軸部３１ｂを挿通し、第１、第２垂下片４３，４４の下端を第１部材１１に対向させる。
【００８１】
そして、ねじ軸部３１ｂを第２スプリングワッシャ５３に挿通した後、ねじ軸３１ｂに第２ナット５４を螺合させ、押さえ部材４１を縦方向（上下方向）の真上から固定（締結）することにより、図８に示すように、太陽電池パネルＰを取り付けることができる。
【００８２】
第４実施例のハゼ掴み具１においても、第１実施例のハゼ掴み具１と同様な効果を得ることができる。
【００８３】
図１４はこの発明の第５実施例であるハゼ掴み具が、第４実施例のハゼ掴み具と異なる部分を示す第２部材の正面図である。
【００８４】
第５実施例のハゼ掴み具１は、第４実施例のハゼ掴み具１の第２上側片２３に設けられた第２ねじ孔２３ａの位置に、第２ねじ軸部２６を溶接等によって設けた構成としたものである。他の部分は、第４実施例のハゼ掴み具１と同様な構成とされている。
【００８５】
したがって、第５実施例のハゼ掴み具１も、第４実施例（第１実施例）のハゼ掴み具１と同様に、ハゼへ取り付けることができるとともに、太陽電池パネルを取り付けることができる。
【００８６】
そして、第５実施例のハゼ掴み具１も、第４実施例（第１実施例）のハゼ掴み具１と同様な効果を得ることができる。
【００８７】
図１５はこの発明の第６実施例であるハゼ掴み具が、第４実施例のハゼ掴み具と異なる部分を示す第２部材の平面図である。
【００８８】
第６実施例のハゼ掴み具１は、第４実施例のハゼ掴み具１の第２上側片２３に設けられた第２ねじ孔２３ａの位置に、ボルト３１のねじ軸部３１ｂが挿通される第４挿通孔２３ｂ１を設け、ボルト３１の頭部３１ａが第２上側片２３の下面に当接する構成としたものである。他の部分は、第４実施例のハゼ掴み具１と同様な構成とされている。
【００８９】
したがって、第６実施例のハゼ掴み具１も、第４実施例（第１実施例）のハゼ掴み具１と同様に、ハゼへ取り付けることができるとともに、太陽電池パネルを取り付けることができる。
【００９０】
そして、第６実施例のハゼ掴み具１においても、第４実施例（第１実施例）のハゼ掴み具１と同様な効果を得ることができる。
【００９１】
次に、図１６、図１７を参照して、第１挟持部と、第２挟持部との変形例について説明する。
【００９２】
図１６（ａ）に示すように、第１挟持部１５を、第１下側片１４に対する角度αを鋭角として第１下側片１４の上側に形成し、第２挟持部２５を、第２下側片２４に対する角度βを９０度〜１８０度の間の鈍角として第２下側片２４の下側に形成してもよい。また、図１６（ｂ）に示すように、第１挟持部１５を、第１下側片１４に対する角度αを鋭角として第１下側片１４の上側に形成し、第２挟持部２５を、第２下側片２４に対する角度βを鋭角として第２下側片２４の下側に形成し、第１挟持部１５と第２挟持部２５とを略平行に形成してもよい。
【００９３】
さらに、図１６（ｃ）に示すように、第１挟持部１５を、第１下側片１４に対する角度αを９０度として第１下側片１４の上側に形成し、第２挟持部２５を、第２下側片２４に対する角度βを９０度〜１８０度の間の鈍角として第２下側片２４の下側に形成してもよい。また、図１６（ｄ）に示すように、第１挟持部１５を、第１下側片１４に対する角度αを９０度として第１下側片１４の上側に形成し、第２挟持部２５を、第２下側片２４に対する角度βを鋭角として第２下側片２４の下側に形成し、第１実施例〜第６実施例のように形成してもよい。
【００９４】
さらに、図１６（ｅ）に示すように、第１挟持部１５を、第１下側片１４に対する角度αを９０度〜１８０度の間の鈍角として第１下側片１４の上側に形成し、第２挟持部２５を、第２下側片２４に対する角度βを９０度〜１８０度の間の鈍角として第２下側片２４の下側に形成し、第１挟持部１５と第２挟持部２５とを略平行に形成してもよい。また、図１６（ｆ）に示すように、第１挟持部１５を、第１下側片１４に対する角度αを９０度〜１８０度の間の鈍角として第１下側片１４の上側に形成し、第２挟持部２５を、第２下側片２４に対する角度βを鋭角として第２下側片２４の下側に形成してもよい。
【００９５】
さらに、図１７（ａ）に示すように、第１挟持部１５を、第１下側片１４に対する角度αを鋭角として第１下側片１４の上側に形成し、第２挟持部２５を、第２下側片２４に対する角度βを鋭角として第２下側片２４の上側に形成し、第１挟持部１５と第２挟持部２５とを、第１、第２下側片１４，２４の上側へ拡開する逆「ハ」字状（例えば、左右対称）に形成してもよい。また、図１７（ｂ）に示すように、第１挟持部１５を、第１下側片１４に対する角度αを９０度〜１８０度の間の鈍角として第１下側片１４の上側に形成し、第２挟持部２５を、第２下側片２４に対する角度βを９０度〜１８０度の間の鈍角として第２下側片２４の上側に形成し、第１挟持部１５と第２挟持部２５とを、第１、第２下側片１４，２４の上側に「ハ」字状（例えば、左右対称）に形成してもよい。
【００９６】
さらに、図１７（ｃ）に示すように、第１挟持部１５を、第１下側片１４に対する角度αを鋭角として第１下側片１４の下側に形成し、第２挟持部２５を、第２下側片２４に対する角度βを鋭角として第２下側片２４の下側に形成し、第１挟持部１５と第２挟持部２５とを、第１、第２下側片１４，２４の下側に「ハ」字状（例えば、左右対称）に形成してもよい。また、図１７（ｄ）に示すように、第１挟持部１５を、第１下側片１４に対する角度α１を鋭角として第１下側片１４の上側に形成するとともに、第１下側片１４に対する角度α２（例えば、α２＝α１）を鋭角として第１下側片１４の下側に形成し、第２挟持部２５を、第２下側片２４に対する角度β１を鋭角として第２下側片２４の上側に形成するとともに、第２下側片２４に対する角度β２（例えば、β２＝β１）を鋭角として第２下側片２４の下側に形成し、第１挟持部１５と第２挟持部２５とを、第１、第２下側片１４，２４の上側へ拡開する逆「ハ」字状（例えば、左右対称）に形成するとともに、第１、第２下側片１４，２４の下側に「ハ」字状（例えば、左右対称）に形成してもよい。
【００９７】
さらに、図１７（ｅ）に示すように、第１挟持部１５を、第１下側片１４に対する角度αを９０度として第１下側片１４の上側に形成し、第２挟持部２５を、第２下側片２４に対する角度βを９０度として第２下側片２４の上側に形成し、第１挟持部１５と第２挟持部２５とを、第１、第２下側片１４，２４の上側に略平行（例えば、左右対称）に形成してもよい。また、図１７（ｆ）に示すように、第１挟持部１５を、第１下側片１４に対する角度α１を９０度として延ばした先に、さらにその部分に対する角度α３を９０度〜１８０度の間の鈍角として第１下側片１４の上側に形成し、第２挟持部２５を、第２下側片２４に対する角度β１を９０度として延ばした先に、さらにその部分に対する角度β３を９０度〜１８０度の間の鈍角として第２下側片２４の上側に形成し、第１挟持部１５と第２挟持部２５とを、第１、第２下側片１４，２４の上側へ拡開する逆「ハ」字状（例えば、左右対称）に形成してもよい。
【００９８】
図１６および図１７に示すように、第１挟持部１５と、第２挟持部２５とを形成しても、先に説明した効果と同様な効果を得ることができる。
【００９９】
上記実施例において、抜け止め機構を設けた例を示したが、抜け止め機構を設けないものであってもよい。
【０１００】
また、係止凹部（切り欠き）１２ａを第１立ち上がり片１２の左右方向の両端部の上下に設けた例を示したが、係止凹部（切り欠き）を、第１立ち上がり片または第２立ち上がり片の左右方向の端部の少なくとも一方に設けても、同様な効果を得ることができる。
【０１０１】
また、第１部材１１、第２部材２１、押さえ部材４１を金属板で形成した例を示したが、強度が確保できれば、第１部材１１、第２部材２１、押さえ部材４１を合成樹脂などで形成してもよい。
【符号の説明】
【０１０２】
１        ハゼ掴み具
１１      第１部材
１２      第１立ち上がり片
１２ａ    係止凹部（切り欠き）
１３      第１上側片
１３ａ    第１ねじ孔
１３ｂ    第１挿通孔
１３ｂ１  第３挿通孔
１３ｃ    間隔調整凹部
１３ｄ    間隔調整凹部
１３ｅ    間隔調整凹部
１３ｘ    第３ねじ孔
１３ｙ    第１長孔
１４      第１下側片
１４ａ    切り欠き
１５      第１挟持部
１６      第１ねじ軸部
２１      第２部材
２２      第２立ち上がり片
２２ａ    第１貫通孔
２３      第２上側片
２３ａ    第２ねじ孔
２３ｂ    第２挿通孔
２３ｂ１  第４挿通孔
２３ｃ    間隔調整凹部
２３ｄ    間隔調整凹部
２３ｅ    間隔調整凹部
２３ｘ    第４ねじ孔
２３ｙ    第２長孔
２４      第２下側片
２４ａ    第２貫通孔
２５      第２挟持部
２６      第２ねじ軸部
３１      ボルト
３１ａ    頭部
３１ｂ    ねじ軸部
３２      第１ワッシャ
３３      第１スプリングワッシャ
３４      第１ナット
３６      ワッシャ
３７      ビス
４１      押さえ部材
４２      押さえ片
４２ａ    第５挿通孔
４３      第１垂下片
４４      第２垂下片
５３      第２スプリングワッシャ
５４      第２ナット
Ｈ        ハゼ
Ｐ        太陽電池パネル
【図１】
2016104954.tif 000003
【図２】
2016104954.tif 000004
【図３】
2016104954.tif 000005
【図４】
2016104954.tif 000006
【図５】
2016104954.tif 000007
【図６】
2016104954.tif 000008
【図７】
2016104954.tif 000009
【図８】
2016104954.tif 000010
【図９】
2016104954.tif 000011
【図１０】
2016104954.tif 000012
【図１１】
2016104954.tif 000013
【図１２】
2016104954.tif 000014
【図１３】
2016104954.tif 000015
【図１４】
2016104954.tif 000016
【図１５】
2016104954.tif 000017
【図１６】
2016104954.tif 000018
【図１７】
2016104954.tif 000019